(57)【特許請求の範囲】
【請求項１】
箱体に組立可能な箱用シートと、
上記箱体の内部に配置されるパッドと
を備え、
上記箱用シートが、
左右方向に交互に連接され、四角筒状に組み立てられる一対の第１側面パネル及び一対の第２側面パネルと、
上記一対の第１側面パネルの上縁から延出する一対の蓋内フラップと、
上記一対の第２側面パネルの上縁から延出する一対の蓋外フラップと、
底部を形成する１又は複数の底フラップと
を有し、
上記パッドが、上記箱体の内部に配置された配置状態において、
上記底部と平行に配置されるパッド本体と、
上記パッド本体の上記一対の第１側面パネルと対向する一対の第１側縁から延出する一対の連結パネルと、
上記一対の連結パネルから上記パッド本体と反対側に延出し、上記一対の蓋内フラップに固定される一対の接続パネルと
を有し、
上記一対の連結パネルそれぞれと上記パッド本体とに跨る領域に、上記パッド本体側に突出するＵ字状の支持片がそれぞれ画定されており、
上記連結パネルに、上記支持片の両端部と上記連結パネルの側縁とを接続し、上記連結パネルの幅方向に延びる一対の折曲容易線が一直線上に設けられており、
上記支持片が、上記連結パネルの一対の折曲容易線の中央部側端部からそれぞれ上記パッド本体側に向かって延びる一対の第１切込線と、上記一対の第１切込線の上記パッド本体側同士の端部を連結する第２切込線とで画定されており、
上記配置状態において、上記支持片の先端縁が、上記第１側面パネルと平行であり、
上記パッド本体が、上記蓋内フラップの開閉により昇降する箱用シートセット。
【請求項２】
上記パッド本体が方形状であり、
上記配置状態において、上記一対の第２側面パネルと対向する一対の第２側縁が、上記一対の第２側面パネルに当接する請求項１に記載の箱用シートセット。
【請求項３】
上記一対の折曲容易線が、上記連結パネルの延出方向中央部に位置する請求項１又は請求項２に記載の箱用シートセット。
【請求項４】
上記一対の蓋内フラップが、
先端縁中央部から基端側に延びる切込線と、
上記切込線に対して斜め方向に、上記切込線の基端部から上記蓋内フラップの先端縁まで延びる折曲容易線と
で画定される第１接続片を有し、
上記一対の接続パネルが、
先端縁中央部から基端側に延びる折曲容易線と、
上記折曲容易線と平行かつ離間して、先端縁中央部から基端側に延びる第１切込線と、
上記折曲容易線及び上記第１切込線の基端部同士を連結する第２切込線と
で画定される第２接続片を有し、
上記第１接続片及び上記第２接続片を係合させることで上記一対の接続パネルを上記一対の蓋内フラップに固定する請求項１、請求項２又は請求項３に記載の箱用シートセット。
【請求項５】
上記パッド本体の幅に対する上記支持片の先端縁の長さの比が、０．３５以上０．５５以下である請求項１から請求項４のいずれか１項に記載の箱用シートセット。
【発明の詳細な説明】
【技術分野】
【０００１】
本発明は、箱用シートセットに関する。
【背景技術】
【０００２】
箱体に梱包された内容物の取り出し易さや、箱体に梱包されたギフト用商品の開封時の演出として、蓋部を開封すると、内容物がせり上がってくる箱体が知られている。本出願人は、このような箱体の開封時に安定して内容物をせり上げることができる箱用シートセットを考案している（実用新案登録第３２３１１３４号公報参照）。
【０００３】
この箱用シートセットは、箱用シートを組み立ててなる箱体の内部にパッドが配置され、パッド本体が上記箱体の底部に平行に配置される。また、上記箱用シートセットは、上記パッドが連結部材により一対の蓋内フラップに連結され、蓋内フラップの開閉に応じて上記パッドが昇降するように構成されている。
【先行技術文献】
【特許文献】
【０００４】
【特許文献１】実用新案登録第３２３１１３４号公報
【発明の概要】
【発明が解決しようとする課題】
【０００５】
上述の箱用シートセットを組み立ててなる箱体では、箱体の開封時に安定して内容物をせり上げることができるものの、開封後に蓋内フラップから手を離すと、内容物の自重により上記パッドが下降し、連動して蓋内フラップが閉じてしまう。
【０００６】
本発明は、このような事情に鑑みてなされたものであり、箱体の開封時に安定して内容物をせり上げることができ、かつ開封後に開封状態を維持できる箱用シートセットの提供を課題とする。
【課題を解決するための手段】
【０００７】
本発明の一態様に係る箱用シートセットは、箱体に組立可能な箱用シートと、上記箱体の内部に配置されるパッドとを備え、上記箱用シートが、左右方向に交互に連接され、四角筒状に組み立てられる一対の第１側面パネル及び一対の第２側面パネルと、上記一対の第１側面パネルの上縁から延出する一対の蓋内フラップと、上記一対の第２側面パネルの上縁から延出する一対の蓋外フラップと、底部を形成する１又は複数の底フラップとを有し、上記パッドが、上記箱体の内部に配置された配置状態において、上記底部と平行に配置されるパッド本体と、上記パッド本体の上記一対の第１側面パネルと対向する一対の第１側縁から延出する一対の連結パネルと、上記一対の連結パネルから上記パッド本体と反対側に延出し、上記一対の蓋内フラップに固定される一対の接続パネルとを有し、上記一対の連結パネルそれぞれと上記パッド本体とに跨る領域に、上記パッド本体側に突出するＵ字状の支持片がそれぞれ画定されており、上記連結パネルに、上記支持片の両端部と上記連結パネルの側縁とを接続し、上記連結パネルの幅方向に延びる一対の折曲容易線が一直線上に設けられており、上記配置状態において、上記支持片の先端縁が、上記第１側面パネルと平行であり、上記パッド本体が、上記蓋内フラップの開閉により昇降する。
【発明の効果】
【０００８】
本発明の箱用シートセットは、箱体の開封時に安定して内容物をせり上げることができ、かつ開封後に開封状態を維持できる。
【図面の簡単な説明】
【０００９】
【図１】図１は、本発明の一実施形態に係る箱用シートセットのうち箱用シートを示す模式的平面図である。
【図２】図２は、本発明の一実施形態に係る箱用シートセットのうちパッドを示す模式的平面図である。
【図３】図３は、図１及び図２の箱用シートセットの組立時の配置状態を示す模式的斜視図である。
【図４】図４は、図３の第１接続片及び第２接続片付近を示す模式的部分拡大図である。
【図５】図５は、図３の箱体の梱包時を示す模式的断面図である。
【図６】図６は、図３の箱体の開封時を示す模式的断面図である。
【図７】図７は、図３の箱体の開封後を示す模式的斜視図である。
【発明を実施するための形態】
【００１０】
［本発明の実施形態の説明］
最初に本発明の実施態様を列記して説明する。
【００１１】
本発明の一態様に係る箱用シートセットは、箱体に組立可能な箱用シートと、上記箱体の内部に配置されるパッドとを備え、上記箱用シートが、左右方向に交互に連接され、四角筒状に組み立てられる一対の第１側面パネル及び一対の第２側面パネルと、上記一対の第１側面パネルの上縁から延出する一対の蓋内フラップと、上記一対の第２側面パネルの上縁から延出する一対の蓋外フラップと、底部を形成する１又は複数の底フラップとを有し、上記パッドが、上記箱体の内部に配置された配置状態において、上記底部と平行に配置されるパッド本体と、上記パッド本体の上記一対の第１側面パネルと対向する一対の第１側縁から延出する一対の連結パネルと、上記一対の連結パネルから上記パッド本体と反対側に延出し、上記一対の蓋内フラップに固定される一対の接続パネルとを有し、上記一対の連結パネルそれぞれと上記パッド本体とに跨る領域に、上記パッド本体側に突出するＵ字状の支持片がそれぞれ画定されており、上記連結パネルに、上記支持片の両端部と上記連結パネルの側縁とを接続し、上記連結パネルの幅方向に延びる一対の折曲容易線が一直線上に設けられており、上記配置状態において、上記支持片の先端縁が、上記第１側面パネルと平行であり、上記パッド本体が、上記蓋内フラップの開閉により昇降する。
【００１２】
当該箱用シートセットを組立ててなる箱体は、内部にパッドが配置され、パッド本体が上記箱体の底部に平行に配置される。上記パッド本体は、連結パネル及び接続パネルを介して上記箱体の蓋内フラップに固定されているので、蓋内フラップの開閉に応じて上記パッド本体が昇降する。従って、当該箱用シートセットを組立ててなる箱体は、上記パッド本体上に載置した任意の内容物を、上記箱体の開封時に安定してせり上げることができる。また、当該箱用シートセットは、上記一対の連結パネルそれぞれと上記パッド本体とに跨る領域に、上記パッド本体側に突出するＵ字状の支持片が画定されている。この支持片は、上記箱体の開封後、上記内容物の側面に、上記側面側を上方とする傾斜をもって当接することができる。このため、上記箱体の開封後は、この支持片がストッパとなって、上記蓋内フラップが閉じることを抑止する。従って、当該箱用シートセットを組立ててなる箱体は、開封後に開封状態を維持できる。
【００１３】
上記パッド本体が方形状であり、上記配置状態において、上記一対の第２側面パネルと対向する一対の第２側縁が、上記一対の第２側面パネルに当接するとよい。このように上記パッド本体を上記一対の第２側面パネルに当接させることで、上記パッド本体を安定して昇降させることができる。
【００１４】
上記一対の折曲容易線が、上記連結パネルの延出方向中央部に位置するとよい。開封時当初は上記支持片の先端部は上記内容物の下方にあり、上記連結パネルが水平となる位置まで開封された後、上記一対の折曲容易線で上記連結パネルが屈曲することで、上記支持片の端部が上記内容物の側面を摺動して上昇し、上記側面側を上方とする傾斜をもって上記内容物の側面に当接する。上記一対の折曲容易線を上記連結パネルの延出方向中央部に位置させることで、この支持片の動きをスムーズに行うことができる。
【００１５】
上記一対の蓋内フラップが、先端縁中央部から基端側に延びる切込線と、上記切込線に対して斜め方向に、上記切込線の基端部から上記蓋内フラップの先端縁まで延びる折曲容易線とで画定される第１接続片を有し、上記一対の接続パネルが、先端縁中央部から基端側に延びる折曲容易線と、上記折曲容易線と平行かつ離間して、先端縁中央部から基端側に延びる第１切込線と、上記折曲容易線及び上記第１切込線の基端部同士を連結する第２切込線とで画定される第２接続片を有し、上記第１接続片及び上記第２接続片を係合させることで上記一対の接続パネルを上記一対の蓋内フラップに固定するとよい。このように第１接続片及び第２接続片を構成することで、容易かつ確実に一対の接続パネルを一対の蓋内フラップに固定することができる。
【００１６】
上記パッド本体の幅に対する上記支持片の先端縁の長さの比としては、０．３５以上０．５５以下が好ましい。このように上記比を上記範囲内とすることで、支持片のスムーズな動きを確保しつつ、開封後に開封状態を維持できる内容物の重量制限を緩和することができる。
【００１７】
なお、本発明において、「左右方向」とは、箱用シートを組み立ててなる箱体の想定される一般的な使用態様における水平方向を意味し、「上」及び「下」とは、想定される一般的な使用態様における上下を意味するが、上記箱体の使用時の向きを制限することを企図するものではない。また、「内」及び「外」は、それぞれ箱体の内側及び外側を指す。
【００１８】
［本発明の実施形態の詳細］
以下、本発明の一実施形態に係る箱用シートセットについて、適宜図面を参照しつつ説明する。
【００１９】
図１及び図２に示す箱用シートセットは、箱用シート１（図１）と、パッド２（図２）とを備える。箱用シート１は、図３に示すように、箱体３に組立可能であり、パッド２は、箱体３の内部に配置される。
【００２０】
＜箱用シート＞
箱用シート１は、１枚のシート材から形成することができる。箱用シート１を形成するシート材としては、例えば段ボールシート、プラスチックボード、ボール紙等を用いることができ、中でも段ボールシートが好適に用いられる。以下、箱用シート１が段ボールシートからなる場合を例にとり説明するが、上記シート材が段ボールシートに限定されることを企図するものではない。
【００２１】
上記ダンボールシートとしては、１枚の中芯の両側を一対のライナーで挟み込んだものだけでなく、３枚のライナーの間にそれぞれ中芯が挟み込まれたいわゆるダブルフルートであってもよく、あるいは中芯の片側にのみライナーが貼着されたいわゆる片面段ボールであってもよい。
【００２２】
上記シート材の厚さの下限としては、強度の観点から、３ｍｍが好ましい。一方、シート材の厚さの上限としては、特に限定されないが、箱体３への組立の容易性から８ｍｍが好ましい。
【００２３】
箱用シート１は、左右方向（図１のｘ方向）に交互に連接され、四角筒状に組み立てられる一対の第１側面パネル１１及び一対の第２側面パネル１２と、一対の第１側面パネル１１の上縁から延出する一対の蓋内フラップ１３と、一対の第２側面パネル１２の上縁から延出する一対の蓋外フラップ１４と、箱体３の底部３２を形成する複数（４枚）の底フラップ（一対の第１側面パネル１１の下縁から延出する一対の底内フラップ１５、及び一対の第２側面パネル１２の下縁から延出する一対の底外フラップ１６）と、糊代部１７とを有する。
【００２４】
（第１側面パネル及び第２側面パネル）
第１側面パネル１１と第２側面パネル１２とは略方形状である。また、一対の第１側面パネル１１は同等の大きさとされ、一対の第２側面パネル１２は同等の大きさとされる。
【００２５】
第１側面パネル１１の上下方向長さ（図１のｙ方向の長さ）と、第２側面パネル１２の上下方向長さとは等しい。また、第１側面パネル１１の左右方向長さ（図１のｘ方向の長さ）は、第２側面パネル１２の左右方向長さ以下である。
【００２６】
第１側面パネル１１及び第２側面パネル１２の上下方向長さ、第１側面パネル１１の左右方向の長さ、並びに第２側面パネル１２の左右方向の長さは、箱用シート１により組み立てられる箱体３に収容が想定される内容物Ｘの大きさや個数に対応できるように適宜決定される。
【００２７】
（蓋内フラップ及び蓋外フラップ）
一対の蓋内フラップ１３及び一対の蓋外フラップ１４は、略方形状であり、箱用シート１を組み立ててなる箱体３の上部開口を閉塞可能に構成している。つまり、一対の蓋内フラップ１３及び一対の蓋外フラップ１４は、組立時に、それぞれ延出する第１側面パネル１１及び第２側面パネル１２に対して内側へ直角に折り曲げられ、蓋内フラップ１３が内側となるように重ね合わされて箱体３の蓋部３１（図５参照）を形成することができる。
【００２８】
一対の蓋外フラップ１４は、先端縁同士を突き合わせられるように構成されている。それぞれの蓋外フラップ１４の延出方向長さ（図１のｙ方向の長さ）は、例えば第１側面パネル１１の左右方向の長さの１／２とされる。
【００２９】
一方、蓋内フラップ１３の延出方向長さは、特に限定されないが、蓋外フラップ１４の長さと同等とできる。
【００３０】
蓋内フラップ１３及び蓋外フラップ１４の左右方向の長さ（図１のｘ方向の長さ）は、特に限定されないが、それぞれ延出する第１側面パネル１１及び第２側面パネル１２の左右方向の長さと同等とすることが好ましい。
【００３１】
一対の蓋内フラップ１３は、先端縁中央部から基端側に延びる切込線１３ｘと、切込線１３ｘに対して斜め方向に、切込線１３ｘの基端部（蓋内フラップ１３と第１側面パネル１１との境界側の端部）から蓋内フラップ１３の先端縁まで延びる折曲容易線１３ｙとで画定される第１接続片１３ａを有する。第１接続片１３ａは、後述する第２接続片２３ａと係合させることで一対の接続パネル２３を一対の蓋内フラップ１３に固定することができる。
【００３２】
蓋内フラップ１３の先端縁側の第１接続片１３ａの幅（蓋内フラップ１３の先端縁における切込線１３ｘと折曲容易線１３ｙとの距離）としては、２５ｍｍ以上３５ｍｍ以下が好ましい。また、切込線１３ｘの長さとしては、２５ｍｍ以上３５ｍｍ以下が好ましい。上述の第１接続片１３ａの各寸法が上記下限未満であると、第１接続片１３ａと第２接続片２３ａとを係合させ難くなるため、接続パネル２３を蓋内フラップ１３に固定し難くなるおそれがある。一方、上記各寸法が上記上限を超えると、第１接続片１３ａが可動し易くなり、第１接続片１３ａと第２接続片２３ａとが外れ易くなることで、接続パネル２３を蓋内フラップ１３に固定し難くなるおそれがある。
【００３３】
（底内フラップ及び底外フラップ）
一対の底内フラップ１５及び一対の底外フラップ１６は、略方形状であり、箱体３の下部開口を閉塞可能に構成している。つまり、一対の底内フラップ１５及び一対の底外フラップ１６は、組立時に、それぞれ延出する第１側面パネル１１及び第２側面パネル１２に対して内側へ直角に折り曲げられ、底内フラップ１５が内側となるように重ね合わされて箱体３の底部３２を形成することができる。
【００３４】
箱体３の底部３２を閉塞可能に構成されている点及び接続片を有さない点を除き、一対の底内フラップ１５及び一対の底外フラップ１６は、一対の蓋内フラップ１３及び一対の蓋外フラップ１４と同様に構成できるので、詳細説明を省略する。
【００３５】
（糊代部）
糊代部１７は、左右方向に交互に連接される一対の第１側面パネル１１及び一対の第２側面パネル１２で構成される帯状体の一方の側端に設けられている。図１の箱用シート１では、糊代部１７は、第２側面パネル１２に設けられている。糊代部１７は、上記帯状体の他方の側端と当接可能に構成されている。この当接部分を上記帯状体の他方の側端に貼着することで一対の第１側面パネル１１及び一対の第２側面パネル１２を無端状とできる。あるいは、貼着に代えてワイヤー接合等により結合してもよい。
【００３６】
糊代部１７は方形状とすることもできるが、台形状であることが好ましい。具体的には、糊代部１７は、その一対の側辺が上記帯状体から遠ざかるに従って内側へ傾斜する等脚台形状であるとよい。このように糊代部１７を等脚台形状とすることで、箱用シート１を箱体３に組み立てた際に、糊代部１７の側縁付近での貼着強度を維持しつつ、糊代部１７の側縁が蓋内フラップ１３や底内フラップ１５と干渉することを抑止できる。
【００３７】
＜パッド＞
パッド２は、１枚のシート材から形成することができる。パッド２は、箱用シート１と同一のシート材から形成してもよいし、異なるシート材から形成してもよい。箱用シート１と異なるシート材から形成する場合、そのシート材としては、箱用シート１を形成するシート材と同様のものを用いることができる。
【００３８】
パッド２は、図２に示すように、パッド本体２１と、一対の第１側面パネル１１と対向するパッド本体２１の一対の第１側縁２１ｘから延出する一対の連結パネル２２と、一対の連結パネル２２からパッド本体２１と反対側に延出する接続パネル２３とを有する。また、パッド２は、一対の連結パネル２２それぞれとパッド本体２１とに跨る領域に、パッド本体２１側に突出するＵ字状の支持片２４がそれぞれ画定されている。
【００３９】
（パッド本体）
パッド本体２１は、方形状である。なお、「方形状」には、完全な方形に限らず、部分的に凹凸を有する形状や、切り欠きを有する形状を含むものとする。
【００４０】
パッド本体２１は、箱体３の内部に配置された配置状態において、箱体３の底部３２と平行に配置され、蓋内フラップ１３の開閉により昇降する。
【００４１】
パッド本体２１は、上記配置状態において、箱体３の一対の第２側面パネル１２と対向する一対の第２側縁２１ｙが、一対の第２側面パネル１２に当接することが好ましい。すなわち、パッド本体２１の幅（図２のｙ方向の長さ）は、第１側面パネル１１の幅と同等であることが好ましい。このようにパッド本体２１を一対の第２側面パネル１２に当接させることで、パッド本体２１を安定して昇降させることができる。
【００４２】
パッド本体２１の長さ（図２のｘ方向の長さ）は、内容物Ｘの長さと同等若しくは若干長い長さとすることが好ましい。パッド本体２１の長さを内容物Ｘの長さと同等とすると、梱包時に内容物Ｘが固定され易い。また、開封後に支持片２４により開封状態を維持し易い。
【００４３】
（連結パネル）
連結パネル２２は、パッド本体２１と、後述する接続パネル２３とを連結するパネルであり、方形状である。連結パネル２２とパッド本体２１及び接続パネル２３との境界は、直線状であり、折曲容易線により構成されている。
【００４４】
連結パネル２２の幅（図２のｙ方向の長さ）は、パッド本体２１の幅よりも狭くすることもできるが、パッド本体２１と同幅とすることが好ましい。連結パネル２２の幅をパッド本体２１の幅と同幅とすることで、連結パネル２２とパッド本体２１との接続強度を維持しつつ、後述する支持片２４の幅を広くとることができる。
【００４５】
連結パネル２２の長さ（図２のｘ方向の長さ）は、少なくとも内容物Ｘの高さより長く、かつ第１側面パネル１１及び第２側面パネル１２の上下方向長さより短い。また、パッド本体２１の長さに２枚分の連結パネル２２の長さを加えた長さ、つまり連結パネル２２と接続パネル２３との境界間の距離は、第２側面パネル１２の左右方向長さより長い。このような寸法とすることで、蓋内フラップ１３を閉じた際に内容物Ｘを確実に箱体３の内部に収容することができる。
【００４６】
連結パネル２２には、後述する支持片２４の両端部と連結パネル２２の側縁とを接続し、連結パネル２２の幅方向に延びる一対の折曲容易線２２ｘが一直線上に設けられている。この一対の折曲容易線２２ｘは、連結パネル２２の延出方向中央部に位置することが好ましい。開封時当初は、支持片２４の先端部は内容物Ｘの下方にあり、連結パネル２２が水平となる位置まで開封された後、一対の折曲容易線２２ｘで連結パネル２２が屈曲することで、支持片２４の端部が内容物Ｘの側面を摺動して上昇し、上記側面側を上方とする傾斜をもって内容物Ｘの側面に当接する。一対の折曲容易線２２ｘを連結パネル２２の延出方向中央部に位置させることで、この支持片２４の動きをスムーズに行うことができる。
【００４７】
（接続パネル）
一対の接続パネル２３は、箱体３の一対の蓋内フラップ１３に固定される。
【００４８】
接続パネル２３の幅（図２のｙ方向の長さ）は、パッド本体２１の幅よりも狭くすることもできるが、パッド本体２１と同幅とすることが好ましい。接続パネル２３の幅をパッド本体２１の幅と同幅とすることで、接続パネル２３と連結パネル２２との接続強度を確保し易い。
【００４９】
接続パネル２３の長さ（図２のｘ方向の長さ）は、箱体３の蓋内フラップ１３を閉塞した際に接続パネル２３と連結パネル２２との境界線が、パッド本体２１と連結パネル２２との境界線の直上に位置するように決めるとよい。
【００５０】
図１及び図２に示す当該箱用シートセットでは、接続パネル２３の先端と蓋内フラップ１３の先端とが一致するように、接続パネル２３が蓋内フラップ１３に固定される。この場合にあっては、２枚の接続パネル２３、２枚の連結パネル２２及びパッド本体２１の幅の合計長さ、すなわちパッド２の全体の長さが、蓋内フラップ１３の延出方向長さの２倍と第２側面パネル１２の左右方向長さとの合計長さと同等もしくは若干長い長さとなるように接続パネル２３が決められる。このような長さとすることで、一対の蓋内フラップ１３を水平となるまで（底部３２と平行になるまで）開封した際に、内容物Ｘを箱体３から突出してせり上げることができる。
【００５１】
一対の接続パネル２３は、その先端縁中央部から基端側に延びる折曲容易線２３ｘと、折曲容易線２３ｘと平行かつ離間して、先端縁中央部から基端側に延びる第１切込線２３ｙと、折曲容易線２３ｘ及び第１切込線２３ｙの基端部（接続パネル２３と連結面パネル２２との境界側の端部）同士を連結する第２切込線２３ｚとで画定される第２接続片２３ａを有する。
【００５２】
第２接続片２３ａの折曲容易線２３ｘは、蓋内フラップ１３に設けられる第１接続片１３ａの切込線１３ｘと対応する位置に、同等の長さで設けられる。また、第２接続片２３ａの折曲容易線２３ｘと第１切込線２３ｙとの離間距離は、蓋内フラップ１３の先端縁側の第１接続片１３ａの幅と同等とされる。第１切込線２３ｙの長さは、折曲容易線２３ｘより長く、その長さの差は例えば１０ｍｍ以上２０ｍｍ以下とされる。第２切込線２３ｚは、折曲容易線２３ｘ及び第１切込線２３ｙの基端部同士を直線状に連結してもよいが、図２に示すように、角取りされていることが好ましい。このように折曲容易線２３ｘ、第１切込線２３ｙ及び第２切込線２３ｚの寸法をとることで、第１接続片１３ａ及び第２接続片２３ａを容易に係合させることができるが、いったん係合させると第１接続片１３ａ及び第２接続片２３ａを外れ難くすることができる。
【００５３】
蓋内フラップ１３の第１接続片１３ａ及び接続パネル２３の第２接続片２３ａは、図５に示すように、係合させることができる。つまり、接続パネル２３の第２接続片２３ａは、蓋内フラップ１３の第１接続片１３ａの切込線１３ｘから蓋内フラップ１３の下方へ係合される。この係合により一対の接続パネル２３を一対の蓋内フラップ１３に固定することができる。このとき第２接続片２３ａの折曲容易線２３ｘは第１接続片１３ａの切込線１３ｘと同等の長さであり、第２接続片２３ａの第１切込線２３ｙの長さは、折曲容易線２３ｘより長いから、第２接続片２３ａの先端側（折曲容易線２３ｘと反対側）は、蓋内フラップ１３の（第１接続片１３ａがない領域の）裏側まで達し、第２接続片２３ａが第１接続片１３ａを押しのけて上方へ外れることを抑止する。従って、このように第１接続片１３ａ及び第２接続片２３ａを構成することで、当該箱用シートセットでは、容易かつ確実に一対の接続パネル２３を一対の蓋内フラップ１３に固定することができる。
【００５４】
（支持片）
支持片２４は、方形状である。支持片２４は、図２に示すように、連結パネル２２の一対の折曲容易線２２ｘの中央部側端部からそれぞれパッド本体２１側に向かって延びる一対の第１切込線２４ｘと、一対の第１切込線２４ｘのパッド本体２１側同士の端部を連結する第２切込線２４ｙとで画定される。
【００５５】
支持片２４の先端縁、つまり第２切込線２４ｙは、上記配置状態において第１側面パネル１１と平行である。
【００５６】
パッド本体２１の幅に対する支持片２４の先端縁の長さの比の下限としては、０．３５が好ましく、０．４０がより好ましい。一方、上記比の上限としては、０．５５が好ましく、０．５０がより好ましい。上記比が上記下限未満であると、開封後に開封状態を維持できる内容物Ｘの制限重量が低下するおそれがある。逆に、上記比が上記上限を超えると、相対的に連結パネル２２とパッド本体２１とを接続する境界線の長さが減少し、連結パネル２２とパッド本体２１との接続強度が低下するおそれがある。
【００５７】
一対の支持片２４の先端縁間の距離は、内容物Ｘの長さよりも短く設定されている。具体的には、一対の支持片２４の先端縁間の距離が内容物Ｘの長さよりも短くなるように、支持片２４の突出距離（第１切込線２４ｘの長さ）が設定される。このように突出距離を設定することで、支持片２４は、内容物Ｘの側面側を上方とする傾斜をもって内容物Ｘの側面に当接することができるようになる。
【００５８】
一方、一対の支持片２４の先端縁間の距離を内容物Ｘの長さよりも短くし過ぎると、開封時当初は内容物Ｘの下方にある支持片２４の先端部を、連結パネル２２が水平となる位置まで開封された後に、支持片２４の端部を内容物Ｘの側面を摺動して上昇させることが困難となる。この点、一対の支持片２４の先端縁間の距離と内容物Ｘの長さとの差の上限は、３０ｍｍが好ましく、２０ｍｍがより好ましい。
【００５９】
＜箱体の機能＞
当該箱用シートセットを組み立ててなる箱体３の蓋内フラップ１３を開閉すると、パッド本体２１が昇降する。また、箱体３は、開封後に開封状態を維持できる。その機能について図５から図７を参照して説明する。
【００６０】
蓋内フラップ１３を完全に閉じた状態を図５に示す。このとき蓋内フラップ１３は、箱体３の蓋部３１の一部を構成するから、パッド２の接続パネル２３は、蓋部３１に固定されることとなる。パッド本体２１自身の重量及びパッド本体２１に載置された内容物Ｘの重量により連結パネル２２は、鉛直方向に垂下され、パッド本体２１は箱体３の底部３２に近い位置に格納される。これにより内容物Ｘは箱体３の内部に収納される。
【００６１】
蓋内フラップ１３を開封途中の状態を図６に示す。このとき蓋内フラップ１３は基端部を中心に回転運動をし、蓋内フラップ１３に固定されている接続パネル２３も同様に回転運動する。そうすると垂下されていた連結パネル２２は、接続パネル２３の回転に合わせて斜め上方からパッド本体２１を吊るすことになるから、パッド本体２１はせり上がってくることになる。この段階では、支持片２４の先端縁は内容物Ｘより下に位置している。
【００６２】
蓋内フラップ１３を開封後に開封状態を維持した状態を図７に示す。蓋内フラップ１３を水平となるまで開けると、パッド本体２１、連結パネル２２及び接続パネル２３は、全て箱体３の蓋部３１の高さで同一平面上に並ぶ。このとき支持片２４の先端縁は内容物Ｘに下面に当接する。さらに、蓋内フラップ１３を、その先端が下方を向くように開けると、支持体２４の先端は上方を向こうとし、内容物Ｘを押し上げようとする。このとき内容物Ｘの自重やパッド２の各パネルの位置関係等のバランスから、連結パネル２２の幅方向に延びる一対の折曲容易線２２ｘが折れ曲がり、連結パネル２２が屈曲する。そうすると、支持体２４の先端は内容物Ｘの側面に抜ける。その後、支持片２４の端部は内容物Ｘの側面を摺動して上昇し、上記側面側を上方とする傾斜をもって内容物Ｘの側面に当接する。この状態で、蓋内フラップ１３を開けることを止め、手を放すと、内容物Ｘ及びパッド本体２１の自重により連結パネル２２を開けた時とは逆方向に回転させ、蓋内フラップ１３を閉めようとする力が働く。しかし、支持片２４が内容物Ｘの側面側を上方とする傾斜をもって内容物Ｘの側面に当接しているため、連結パネル２２が逆方向に回転することを支持片２４が抑止し、図７に示す状態で開封状態が維持されることとなる。
【００６３】
＜利点＞
当該箱用シートセットを組立ててなる箱体３は、内部にパッド２が配置され、パッド本体２１が箱体３の底部３２に平行に配置される。パッド本体２１は、連結パネル２２及び接続パネル２３を介して箱体３の蓋内フラップ１３に固定されているので、蓋内フラップ１３の開閉に応じてパッド本体２１が昇降する。従って、当該箱用シートセットを組立ててなる箱体３は、パッド本体２１上に載置した任意の内容物Ｘを、箱体３の開封時に安定してせり上げることができる。また、当該箱用シートセットは、一対の連結パネル２２それぞれとパッド本体２１とに跨る領域に、パッド本体２１側に突出するＵ字状の支持片２４が画定されている。この支持片２４は、箱体３の開封後、内容物Ｘの側面に、側面側を上方とする傾斜をもって当接することができる。このため、箱体３の開封後は、この支持片２４がストッパとなって、蓋内フラップ１３が閉じることを抑止する。従って、当該箱用シートセットを組立ててなる箱体３は、開封後に開封状態を維持できる。
【００６４】
［その他の実施形態］
上記実施形態は、本発明の構成を限定するものではない。従って、上記実施形態は、本明細書の記載及び技術常識に基づいて上記実施形態各部の構成要素の省略、置換又は追加が可能であり、それらは全て本発明の範囲に属するものと解釈されるべきである。
【００６５】
上記実施形態では、箱用シートの底部を形成する底フラップが４枚である場合を説明したが、底部が形成できる限り底フラップの枚数は限定されず、また具体的な構成も限定されるものではない。例えば一方の第２側面パネルの下縁から延出する１つの底フラップによって底部が形成されてもよい。
【００６６】
上記実施形態では、蓋内フラップに設けた第１接続片と、接続パネルに設けた第２接続片とを用いて接続パネルを蓋内フラップに固定する場合を説明したが、接続パネルを蓋内フラップに固定する方法はこれに限定されるものではなく、他の方法、例えば両面テープで固定する等の方法を用いてもよい。
【００６７】
上記実施形態では、パッド本体が方形状である場合を説明したが、パッド本体の形状は方形に限定されず、例えば楕円形状等の他の形状であってもよい。
【００６８】
上記実施形態では、支持片が方形状である場合を説明したが、支持片の形状は方形に限定されず、例えば基端側の底辺が長い等脚台形等の他の形状であってもよい。
【産業上の利用可能性】
【００６９】
以上のように、本発明の箱用シートセットは、箱体の開封時に安定して内容物をせり上げることができ、かつ開封後に開封状態を維持できる。
【符号の説明】
【００７０】
１  箱用シート
１１  第１側面パネル
１２  第２側面パネル
１３  蓋内フラップ
１３ａ  第１接続片
１３ｘ  切込線
１３ｙ  折曲容易線
１４  蓋外フラップ
１５  底内フラップ
１６  底外フラップ
１７  糊代部
２  パッド
２１  パッド本体
２１ｘ  第１側縁
２１ｙ  第２側縁
２２  連結パネル
２２ｘ  折曲容易線
２３  接続パネル
２３ａ  第２接続片
２３ｘ  折曲容易線
２３ｙ  第１切込線
２３ｚ  第２切込線
２４  支持片
２４ｘ  第１切込線
２４ｙ  第２切込線
３  箱体
３１  蓋部
３２  底部
Ｘ  内容物
【要約】
【課題】本発明は、箱体の開封時に安定して内容物をせり上げることができ、かつ開封後に開封状態を維持できる箱用シートセットの提供を課題とする。
【解決手段】本発明は、箱体に組立可能な箱用シートと、上記箱体の内部に配置されるパッドとを備え、上記パッドが、上記箱体の内部に配置された配置状態において、上記箱体の底部と平行に配置されるパッド本体と、上記箱体の一対の第１側面パネルと対向する上記パッド本体の一対の第１側縁から延出する一対の連結パネルと、上記一対の連結パネルから延出し、上記箱体の一対の蓋内フラップに固定される一対の接続パネルとを有し、上記一対の連結パネルそれぞれと上記パッド本体とに跨る領域に、上記パッド本体側に突出するＵ字状の支持片がそれぞれ画定されており、上記支持片の先端縁が上記配置状態において上記第１側面パネルと平行であり、上記パッド本体が、上記蓋内フラップの開閉により昇降する。
【選択図】図３【図１】
0006955643.tif 000002
【図２】
0006955643.tif 000003
【図３】
0006955643.tif 000004
【図４】
0006955643.tif 000005
【図５】
0006955643.tif 000006
【図６】
0006955643.tif 000007
【図７】
0006955643.tif 000008